【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
ネットワークを基礎とする取引設備による取引を促進する方法であって、
上記ネットワークを基礎とする取引設備にアクセスする買い手から、上記ネットワークを基礎とする取引設備を用いて売りに出されている出品物を見るための要求を受信することと、
上記要求に応答して、第１の取引タイプに属する第１の出品物と第２の取引タイプに属する第２の出品物とを含む複数の出品物に関する情報を検索することと、
上記第１及び第２の出品物に関する情報を１つの混合されたリストに統合化することと、
上記混合されたリストを上記買い手に対して表示させることとを含む方法。
【請求項２】
上記第１の取引タイプは第１の価格設定プロセスを実装し、上記第２の取引タイプは第２の価格設定プロセスを実装する請求項１記載の方法。
【請求項３】
上記第１及び第２の価格設定プロセスのうちの少なくとも一方は、固定された価格設定プロセスと、オークションの価格設定プロセスと、オークション／固定のハイブリッドの価格設定プロセスとを含む請求項２記載の方法。
【請求項４】
上記ネットワークを基礎とする取引設備にアクセスする上記買い手から、上記出品物を見るための上記要求を受信することは、ネットワークを基礎とするオークション設備にアクセスする買い手から、特定の売り手によって上記ネットワークを基礎とする取引設備を用いて売りに出された出品物のみを見るための要求を受信することを含む請求項１記載の方法。
【請求項５】
上記複数の出品物に関する上記情報を検索することは、上記買い手によって提供されたキーワード検索基準を満たす複数の取引タイプに属する出品物を検索することを含む請求項１記載の方法。
【請求項６】
上記キーワード検索基準は、上記ネットワークを基礎とする取引設備によって記憶された、上記複数の出品物のタイトル及び説明を検索することを含む請求項５記載の方法。
【請求項７】
上記混合されたリストを上記買い手に対して表示させることは、上記複数の出品物の価格に従ってソーティングされた上記混合されたリストを表示させることを含む請求項１記載の方法。
【請求項８】
上記品目の価格に従ってソーティングされた上記混合されたリストを表示させることは、価格により降順にソーティングされた上記混合されたリストを表示させることを含む請求項７記載の方法。
【請求項９】
上記混合されたリストを上記買い手に対して表示させることは、上記混合されたリスト内の予め決められた数の上記複数の出品物を上記買い手に対して表示させることを含む請求項１記載の方法。
【請求項１０】
上記予め決められた数のパラメータの出品物は、上記買い手によって指定される請求項９記載の方法。
【請求項１１】
上記混合されたリストを上記買い手に対して表示させることは、特定の取引タイプに属する出品物のみとなるように、上記混合されたリストをフィルタリングすることを含む請求項１記載の方法。
【請求項１２】
価格によってソーティングされているように、上記特定の取引タイプに属する出品物を表示させることをさらに含む請求項１１記載の方法。
【請求項１３】
上記特定の取引タイプはオークションの取引タイプであり、上記方法は上記オークションの取引タイプに属する出品物のみを表示させることを含み、上記オークションの取引タイプに属する上記出品物は個々のオークションの終了時刻に従ってソーティングされる請求項１１記載の方法。
【請求項１４】
上記混合されたリストを表示させることは、
上記混合されたリスト内に関連の情報が含まれる各出品物に関する、追加の情報が存在するか否かを決定することと、
存在している場合に、上記混合されたリスト内に関連の情報が含まれる少なくとも１つの出品物に関連付けられた上記追加の情報を検索することと、
上記少なくとも１つの出品物に関連付けられた上記追加の情報を上記混合されたリスト内に表示することを含む請求項１記載の方法。
【請求項１５】
上記追加の情報は、上記出品物に関連付けられたサムネイル画像、上記出品物に関連付けられたタイトル、上記出品物に関連付けられた利用可能なアイコン、上記出品物の価格、上記出品物に関連付けられた入札回数、又は上記出品物に関連付けられた終了時刻のうちの任意の１つを含む請求項１４記載の方法。
【請求項１６】
上記混合されたリストを表示させることは、上記混合されたリストを含むマークアップ言語の文書を生成することを含む請求項１記載の方法。
【請求項１７】
上記混合されたリストを表示させることは、上記マークアップ言語の文書を、上記ネットワークを基礎とする取引設備からネットワークを介して送信し、クライアントのコンピュータシステム上に表示することを含む請求項１６記載の方法。
【請求項１８】
ネットワークを基礎とする取引設備による取引を促進するシステムであって、
上記システムは、
上記ネットワークを基礎とする取引設備にアクセスする買い手から、上記ネットワークを基礎とする取引設備を用いて売りに出されている出品物を見るための要求を受信する取引エンジンを備え、
上記取引エンジンは、上記要求に応答して、第１の取引タイプに属する第１の出品物と第２の取引タイプに属する第２の出品物とを含む複数の出品物に関する情報を検索し、
上記取引エンジンは、上記第１及び第２の出品物に関する情報を１つの混合されたリストに統合化し、
上記システムは、
上記混合されたリストを上記買い手に対して表示するディスプレイエンジンを備えるシステム。
【請求項１９】
上記第１の取引タイプは第１の価格設定プロセスを実装し、上記第２の取引タイプは第２の価格設定プロセスを実装する請求項１８記載のシステム。
【請求項２０】
上記第１及び第２の価格設定プロセスのうちの少なくとも一方は、固定された価格設定プロセスと、オークションの価格設定プロセスと、オークション／固定のハイブリッドの価格設定プロセスとを含む請求項１９記載のシステム。
【請求項２１】
上記取引エンジンは、上記ネットワークを基礎とする取引設備にアクセスしようとする買い手から、特定の売り手によって上記ネットワークを基礎とする取引設備を用いて売りに出された出品物のみを見るため要求を受信する請求項１８記載のシステム。
【請求項２２】
上記複数の出品物に関する情報を検索する上記取引エンジンは、上記買い手によって提供されたキーワード検索基準を満たす複数の取引タイプに属する出品物を検索する取引を含む請求項１８記載のシステム。
【請求項２３】
上記キーワード検索基準は、上記ネットワークを基礎とする取引設備によって記憶された、上記複数の出品物のタイトル及び説明を検索することを含む請求項２２記載のシステム。
【請求項２４】
上記ディスプレイエンジンは、上記複数の出品物の価格に従ってソーティングされた上記混合されたリストを表示させる請求項１８記載のシステム。
【請求項２５】
上記品目の上記価格に従ってソーティングされた上記混合されたリストを表示する上記ディスプレイエンジンは、価格により降順にソーティングされた上記混合されたリストの表示を含む請求項２４記載のシステム。
【請求項２６】
上記混合されたリストを上記買い手に対して表示する上記ディスプレイエンジンは、上記混合されたリスト内の予め決められた数の上記複数の出品物を上記買い手に対して表示することを含む請求項１８記載のシステム。
【請求項２７】
上記予め決められた数のパラメータの出品物は、上記買い手によって指定される請求項２６記載のシステム。
【請求項２８】
上記混合されたリストを上記買い手に対して表示する上記ディスプレイエンジンは、特定の取引タイプに属する出品物のみとなるように、上記混合されたリストをフィルタリングすることを含む請求項１８記載のシステム。
【請求項２９】
特定の取引タイプに属する出品物を表示する上記ディスプレイエンジンは、価格によってソーティングされた特定の取引タイプに属する上記品目を含む請求項２８記載のシステム。
【請求項３０】
上記特定の取引タイプはオークションの取引タイプであり、上記ディスプレイエンジンは上記オークションの取引タイプに属する出品物のみを表示し、上記オークションの取引タイプに属する上記出品物は個々のオークションの終了時刻に従ってソーティングされる請求項２８記載のシステム。
【請求項３１】
上記混合されたリストを上記買い手に対して表示する上記ディスプレイエンジンは、
上記取引エンジンとが、上記混合されたリスト内に関連の情報が含まれる各出品物に関する、追加の情報が存在するか否かを決定することと、
存在している場合に、上記取引エンジンが、上記混合されたリスト内に関連の情報が含まれる少なくとも１つの出品物に関連付けられた上記追加の情報を検索することと、
上記ディスプレイエンジンが、上記少なくとも１つの出品物に関連付けられた上記追加の情報を上記混合されたリスト内に表示することとを含む請求項１８記載のシステム。
【請求項３２】
上記追加の情報は、上記出品物に関連付けられたサムネイル画像、上記出品物に関連付けられたタイトル、上記出品物に関連付けられた利用可能なアイコン、上記出品物の価格、上記出品物に関連付けられた入札回数、又は上記出品物に関連付けられた終了時刻のうちの任意の１つを含む請求項３１記載のシステム。
【請求項３３】
上記混合されたリストを表示する上記ディスプレイエンジンは、上記混合されたリストを含むマークアップ言語の文書を生成する請求項１８記載のシステム。
【請求項３４】
上記混合されたリストを表示する上記ディスプレイエンジンは、上記マークアップ言語の文書を、上記ネットワークを基礎とする取引設備からネットワークを介して送信し、クライアントのコンピュータシステム上に表示するディスプレイエンジンを含む請求項３３記載のシステム。
【請求項３５】
命令シーケンスを記憶するコンピュータが読み取り可能な媒体であって、上記命令シーケンスがマシンによって実行されるとき、上記マシンに、
ネットワークを基礎とする取引設備にアクセスする買い手から、上記ネットワークを基礎とする取引設備を用いて売りに出されている出品物を見るための要求を受信させ、
第１の取引タイプに属する第１の出品物と第２の取引タイプに属する第２の出品物とを含む複数の出品物に関する情報を検索させ、
上記第１及び第２の出品物に関する情報を１つの混合されたリストに統合化させ、かつ、
上記混合されたリストを上記買い手に対して表示させるコンピュータが読み取り可能な媒体。
【手続補正２】
【補正対象書類名】明細書
【補正対象項目名】００１４
【補正方法】変更
【補正の内容】
【００１４】
データベース構造．
図３は、データベースエンジンサーバ２２によって保持されかつこれを介してアクセスされ、少なくとも部分的に取引設備１０を実装しかつサポートする例示的なデータベース２３を示すデータベースの図である。この例示的な実施形態では、データベースエンジンサーバ２２は２つのデータベース２３ａ及び２３ｂを保持し、第１のデータベース２３ａは本発明により仮想の“店舗”内に含まれていない出品物情報のために保持され、第２のデータベース２３ｂは仮想の“店舗”を介して提示される出品物のための出品物情報を記憶する。これらのデータベース２３ａ及び２３ｂの構造は実質的に同じであるが、仮想店舗を促進させる多くの追加フィールドを“店舗”データベース２３ｂのテーブルが含む可能性のあるという点で異なっている。以下、データベース２３の基本的な構造についての概論を述べるが、これはデータベース２３ａ及び２３ｂの両方に適用可能である。
【手続補正３】
【補正対象書類名】明細書
【補正対象項目名】００３２
【補正方法】変更
【補正の内容】
【００３２】
図１２は、本発明の例示的な実施形態による、売り手の仮想店舗に出品された品目の混合されたものを表示する方法１２０を示し、特定の取引タイプ（例えば、オークションの品目、固定された価格の品目）に適合する品目のみが表示されるように混合されたリストをフィルリングすることが可能である場合のフローチャートである。本方法１２０は、図５を参照して前述した方法７０によって生成されるような図９に示された例示的なユーザインタフェース９００のコンテキストにおいて説明される。
【手続補正４】
【補正対象書類名】明細書
【補正対象項目名】００３８
【補正方法】変更
【補正の内容】
【００３８】
本発明の例示的な実施形態では、ブロック１５３において、買い手はソート基準（例えば、価格、入札回数、終了時刻）を選択することができる。ブロック１５４では、選択されたソート基準に従って、混合されたリストが表示される。
【手続補正５】
【補正対象書類名】明細書
【補正対象項目名】００４２
【補正方法】変更
【補正の内容】
【００４２】
コンピュータシステム３００は、プロセッサ３０２と、メインメモリ３０４と、静的メモリ３０６とを含み、これらはバス３０８を介して互いに通信する。コンピュータシステム３００はさらに、ビデオディスプレイ装置３１０（例えば、液晶ディスプレイ（ＬＣＤ）又は陰極線管（ＣＲＴ））を含むことが可能である。コンピュータシステム３００はまた、英数字入力装置３１２（例えばキーボード）と、カーソル制御装置３１４（例えばマウス）と、ディスクドライブ装置３１６と、信号発生装置３１８（例えばスピーカ）と、ネットワークインタフェース装置３２０とを含む。
【手続補正６】
【補正対象書類名】明細書
【補正対象項目名】００４３
【補正方法】変更
【補正の内容】
【００４３】
ディスクドライブ装置３１６は、上述の方法の任意の１つ、又はすべてを具現する命令セット（すなわちソフトウェア）３２４が記憶される、機械が読み取り可能な媒体３２２を含む。ソフトウェア３２４はまた、メインメモリ３０４内及び／又はプロセッサ３０２内に完全に存在するように、又は少なくとも部分的に存在するように図示されている。ソフトウェア３２４はさらに、ネットワークインタフェース装置３２０を介して送信されるか又は受信されることが可能である。本願明細書の目的に沿って、“機械が読み取り可能な媒体”という用語は、マシンによって実行される命令シーケンスを記憶するか又は符号化する能力があり、かつ本発明による方法の任意の１つをマシンに実行させる任意の媒体を含むように解釈されるものとする。従って“機械が読み取り可能な媒体”という用語は、ソリッドステートメモリと、光及び磁気ディスクと、搬送波信号とを含むように解釈されるものとするが、これらに限定されない。